(57)【特許請求の範囲】
【請求項１】
表示画面に文書情報に基づく文書画像を表示すると共に、利用者の入力を受け付ける画像表示手段と、
前記文書画像に対する前記利用者の入力に基づいて、前記入力が予め設定された文書閲覧用の第１の入力であるか、前記第１の入力とは異なる文書閲覧用の第２の入力であるか否かを判別する入力判別手段と、
前記第１の入力がされた場合に、前記文書情報の特定の頁の画像が前記表示画面の大きさに基づいて拡大された第１の文書閲覧画像を前記表示画面に表示すると共に、前記第２の入力がされた場合に、前記文書情報の各頁を縮小した画像が前記表示画面内に並べて配置された第２の文書閲覧画像を前記表示画面に表示する前記画像表示手段と、
を備えたことを特徴とする画像表示装置。
【請求項２】
両面印刷の設定がされている場合に、前記第２の文書閲覧画像として奇数頁を縮小した画像を表示し、且つ、各奇数頁を縮小した画像に対して各偶数頁を縮小した画像を裏面として割り付けると共に、前記奇数頁を縮小した画像をめくるようになぞる入力がされた場合に、前記偶数頁を縮小した画像を表示する前記画像表示手段、
を備えたことを特徴とする請求項１に記載の画像表示装置。
【請求項３】
前記文書情報の印刷を行う場合に実行可能な予め設定された印刷条件を特定する印刷条件画像を前記表示画面に表示する前記画像表示手段と、
前記印刷条件画像を選択する入力がされたか否かを判別する前記入力判別手段と、
前記印刷条件画像を選択する入力がされた場合に、入力された前記印刷条件に応じて前記各文書閲覧画像を更新して表示する前記画像表示手段と、
を備えたことを特徴とする請求項１または２に記載の画像表示装置。
【請求項４】
前記第１の入力および第２の入力とは異なり且つ前記文書画像を選択する第３の入力がされたか否かを判別する前記入力判別手段と、
前記第３の入力がされた場合に、前記文書情報が選択されたことを特定する被選択画像を前記表示画面に表示する前記画像表示手段と、
を備えたことを特徴とする請求項１ないし３のいずれかに記載の画像表示装置。
【請求項５】
前記第３の入力がされた場合に、前記文書情報に対して実行可能な処理を特定する処理画像を前記表示画面に表示する処理画像表示手段と、
前記被選択画像を前記処理画像の位置に移動させる入力がされたか否かを判別する前記入力判別手段と、
前記被選択画像を前記処理画像の位置に移動させる入力がされた場合に、前記処理画像に応じた処理を前記文書情報に対して実行する処理実行手段と、
を備えたことを特徴とする請求項４に記載の画像表示装置。
【請求項６】
予め設定された入力時間よりも短い時間、前記文書画像に対する入力が１回された場合に、前記第１の入力がされたと判別し、前記入力時間よりも短い時間の前記文書画像に対する入力が予め設定された時間間隔よりも短い間隔で２回された場合に、前記第２の入力がされたと判別し、前記時間間隔および２回分の前記入力時間の合計の時間よりも長い時間、前記文書画像に対する入力がされた場合に、前記第３の入力がされたと判別する前記入力判別手段、
を備えたことを特徴とする請求項４または５に記載の画像表示装置。
【請求項７】
コンピュータを、
表示画面に文書情報に基づく文書画像を表示すると共に、利用者の入力を受け付ける画像表示手段、
前記文書画像に対する前記利用者の入力に基づいて、前記入力が予め設定された文書閲覧用の第１の入力であるか、前記第１の入力とは異なる文書閲覧用の第２の入力であるか否かを判別する入力判別手段、
前記第１の入力がされた場合に、前記文書情報の特定の頁の画像が前記表示画面の大きさに基づいて拡大された第１の文書閲覧画像を前記表示画面に表示すると共に、前記第２の入力がされた場合に、前記文書情報の各頁を縮小した画像が前記表示画面内に並べて配置された第２の文書閲覧画像を前記表示画面に表示する前記画像表示手段、
として機能させるプログラム。
【発明の詳細な説明】
【技術分野】
【０００１】
本発明は、画像表示装置およびプログラムに関する。
【背景技術】
【０００２】
従来、パーソナルコンピュータ等の情報処理装置で作成した文書の情報や、紙等に印刷された文書を、スキャナー等の読み取り装置で読み取って電子化された文書の情報を、パーソナルコンピュータ等で管理、閲覧する装置やアプリケーションソフトウェアが知られている。このような文書の情報を管理、閲覧する技術として、以下の特許文献１、２記載の技術が従来公知である。
【０００３】
特許文献１としての特開２００８−７７２１０号公報には、絵柄が縮小され表示されたサムネイル画像に対して、ユーザがポインティングデバイスの位置や、クリック時間に応じて、縮小されたサムネイル画像を拡大して表示する技術が記載されている。また、ポインティングデバイスの位置に応じて、拡大倍率を切り替える技術も記載されている。
【０００４】
特許文献２としての特開平１１−２５１０３号公報には、文書を示すアイコンに対して、マウスの左ボタンのクリックがされた場合には、文書全体の操作と判別し、左右の両ボタンのクリックがされた場合には、文書の中の特定の１頁を抜き取る操作であると判別し、操作に応じた処理を実行する技術が記載されている。
【先行技術文献】
【特許文献】
【０００５】
【特許文献１】特開２００８−７７２１０号公報（「００１４」、「００２２」〜「００２９」、図５〜図７）
【特許文献２】特開平１１−２５１０３号公報（「００６４」〜「００８３」、図８）
【発明の概要】
【発明が解決しようとする課題】
【０００６】
本発明は、文書を閲覧する場合に文書の表示を直接的に切り替えつつ、操作回数の増加を抑えることを技術的課題とする。
【課題を解決するための手段】
【０００７】
前記技術的課題を解決するために、請求項１に記載の発明の画像表示装置は、
表示画面に文書情報に基づく文書画像を表示すると共に、利用者の入力を受け付ける画像表示手段と、
前記文書画像に対する前記利用者の入力に基づいて、前記入力が予め設定された文書閲覧用の第１の入力であるか、前記第１の入力とは異なる文書閲覧用の第２の入力であるか否かを判別する入力判別手段と、
前記第１の入力がされた場合に、前記文書情報の特定の頁の画像が前記表示画面の大きさに基づいて拡大された第１の文書閲覧画像を前記表示画面に表示すると共に、前記第２の入力がされた場合に、前記文書情報の各頁を縮小した画像が前記表示画面内に並べて配置された第２の文書閲覧画像を前記表示画面に表示する前記画像表示手段と、
を備えたことを特徴とする。
【０００８】
請求項２に記載の発明は、請求項１に記載の画像表示装置において、
両面印刷の設定がされている場合に、前記第２の文書閲覧画像として奇数頁を縮小した画像を表示し、且つ、各奇数頁を縮小した画像に対して各偶数頁を縮小した画像を裏面として割り付けると共に、前記奇数頁を縮小した画像をめくるようになぞる入力がされた場合に、前記偶数頁を縮小した画像を表示する前記画像表示手段、
を備えたことを特徴とする。
【０００９】
請求項３に記載の発明は、請求項１または２に記載の画像表示装置において、
前記文書情報の印刷を行う場合に実行可能な予め設定された印刷条件を特定する印刷条件画像を前記表示画面に表示する前記画像表示手段と、
前記印刷条件画像を選択する入力がされたか否かを判別する前記入力判別手段と、
前記印刷条件画像を選択する入力がされた場合に、入力された前記印刷条件に応じて前記各文書閲覧画像を更新して表示する前記画像表示手段と、
を備えたことを特徴とする。
【００１０】
請求項４に記載の発明は、請求項１ないし３のいずれかに記載の画像表示装置において、
前記第１の入力および第２の入力とは異なり且つ前記文書画像を選択する第３の入力がされたか否かを判別する前記入力判別手段と、
前記第３の入力がされた場合に、前記文書情報が選択されたことを特定する被選択画像を前記表示画面に表示する前記画像表示手段と、
を備えたことを特徴とする。
【００１１】
請求項５に記載の発明は、請求項４に記載の画像表示装置において、
前記第３の入力がされた場合に、前記文書情報に対して実行可能な処理を特定する処理画像を前記表示画面に表示する処理画像表示手段と、
前記被選択画像を前記処理画像の位置に移動させる入力がされたか否かを判別する前記入力判別手段と、
前記被選択画像を前記処理画像の位置に移動させる入力がされた場合に、前記処理画像に応じた処理を前記文書情報に対して実行する処理実行手段と、
を備えたことを特徴とする。
【００１２】
請求項６に記載の発明は、請求項４または５に記載の画像表示装置において、
予め設定された入力時間よりも短い時間、前記文書画像に対する入力が１回された場合に、前記第１の入力がされたと判別し、前記入力時間よりも短い時間の前記文書画像に対する入力が予め設定された時間間隔よりも短い間隔で２回された場合に、前記第２の入力がされたと判別し、前記時間間隔および２回分の前記入力時間の合計の時間よりも長い時間、前記文書画像に対する入力がされた場合に、前記第３の入力がされたと判別する前記入力判別手段、
を備えたことを特徴とする。
【００１３】
前記技術的課題を解決するために、請求項７に記載の発明のプログラムは、
コンピュータを、
表示画面に文書情報に基づく文書画像を表示すると共に、利用者の入力を受け付ける画像表示手段、
前記文書画像に対する前記利用者の入力に基づいて、前記入力が予め設定された文書閲覧用の第１の入力であるか、前記第１の入力とは異なる文書閲覧用の第２の入力であるか否かを判別する入力判別手段、
前記第１の入力がされた場合に、前記文書情報の特定の頁の画像が前記表示画面の大きさに基づいて拡大された第１の文書閲覧画像を前記表示画面に表示すると共に、前記第２の入力がされた場合に、前記文書情報の各頁を縮小した画像が前記表示画面内に並べて配置された第２の文書閲覧画像を前記表示画面に表示する前記画像表示手段、
として機能させる。
【発明の効果】
【００１４】
請求項１，７に記載の発明によれば、本発明の構成を有しない場合に比べて、文書を閲覧する場合に文書の表示を直接的に切り替えつつ、操作回数の増加を抑えることができる。
また、請求項１，７に記載の発明によれば、拡大された第１の文書閲覧画像と、縮小された第２の文書閲覧画像と、を切り替えることができる。
請求項２に記載の発明によれば、奇数頁の裏面に割り付けられた偶数頁をめくるような入力で確認する構成を有しない場合に比べて、両面印刷時に表面と裏面の対応関係を容易に確認できる。
請求項３に記載の発明によれば、印刷条件に応じた文書閲覧画像を印刷前に確認することができる。
【００１５】
請求項４に記載の発明によれば、第３の入力に応じて、文書情報を選択することができる。
請求項５に記載の発明によれば、処理画像の位置に被選択画像を移動させるだけで、処理を行うことができる。
請求項６に記載の発明によれば、入力された回数や時間に応じて異なる入力と判別することができる。
【図面の簡単な説明】
【００１６】
【図１】図１は実施例１の画像表示装置を含むシステムの全体説明図である。
【図２】図２は、実施例１のネットワークシステムにおけるタブレット端末の機能をブロック図（機能ブロック図）で示した説明図である。
【図３】図３は実施例１のタッチパネルにアイコン画像が表示された状態の説明図である。
【図４】図４は実施例１のタッチパネルにプレビュー画像が表示された状態の説明図である。
【図５】図５は実施例１のタッチパネルにサムネイル画像が表示された状態の説明図である。
【図６】図６は図４に示すプレビュー画像においてプリント条件画像が表示された状態の説明図であり、図６Ａはプリント条件画像の一部が表示された状態の説明図、図６Ｂはプリント条件画像の残りが表示された状態の説明図である。
【図７】図７は図５に示すサムネイル画像においてプリント条件画像が表示された状態の説明図であり、図７Ａはプリント条件画像の一部が表示された状態の説明図、図７Ｂはプリント条件画像の残りが表示された状態の説明図である。
【図８】図８は図６に示すプリント条件画像が表示されたプレビュー画像において長辺綴じの両面印刷が入力された状態の説明図であり、図８Ａは長辺綴じの両面印刷が入力された状態の説明図、図８Ｂは図８Ａに示す状態から頁をめくる入力がされた場合の説明図である。
【図９】図９は図７に示すプリント条件画像が表示されたサムネイル画像において長辺綴じの両面印刷が入力された状態の説明図であり、図９Ａは長辺綴じの両面印刷が入力された状態の説明図、図９Ｂは図９Ａに示す状態から頁をめくる入力がされた場合の説明図である。
【図１０】図１０は図６に示すプリント条件画像が表示されたプレビュー画像において多数ページの割付印刷が選択された状態の説明図であり、図１０Ａは２ｕｐ印刷が入力された状態の説明図、図１０Ｂは４ｕｐ印刷が入力がされた場合の説明図である。
【図１１】図１１は図７に示すプリント条件画像が表示されたサムネイル画像において多数ページの割付印刷が選択された状態の説明図であり、図１１Ａは２ｕｐ印刷が入力された状態の説明図、図１１Ｂは４ｕｐ印刷が入力がされた場合の説明図である。
【図１２】図１２は図６に示すプリント条件画像が表示されたプレビュー画像においてステープルが選択された状態の説明図であり、図１２Ａは角綴じが選択された状態の説明図、図１２Ｂは長編綴じが選択がされた場合の説明図である。
【図１３】図１３は図７に示すプリント条件画像が表示されたサムネイル画像においてステープルが選択された状態の説明図であり、図１３Ａは角綴じが選択された状態の説明図、図１３Ｂは長編綴じが選択がされた場合の説明図である。
【図１４】図１４は図６に示すプリント条件画像が表示されたプレビュー画像においてパンチ孔の形成が選択された状態の説明図であり、図１４Ａは長辺パンチが選択された状態の説明図、図１４Ｂは短辺パンチが選択がされた場合の説明図である。
【図１５】図１５は図７に示すプリント条件画像が表示されたサムネイル画像においてパンチ孔の形成が選択された状態の説明図であり、図１５Ａは長辺パンチが選択された状態の説明図、図１５Ｂは短辺パンチが選択がされた場合の説明図である。
【図１６】図１６は実施例１のトップ画像において長押しがされた場合の説明図であり、図１６Ａは長押しがされた状態の説明図、図１６Ｂは長押しされた状態で指を移動させた状態の説明図である。
【図１７】図１７は実施例１の画像表示処理のフローチャートの説明図である。
【図１８】図１８は実施例１のプレビュー表示処理のフローチャートの説明図であり、図１７のＳＴ７のサブルーチンの説明図である。
【図１９】図１９は実施例１のサムネイル表示処理のフローチャートの説明図であり、図１７のＳＴ９のサブルーチンの説明図である。
【図２０】図２０は実施例１の長押し処理のフローチャートの説明図であり、図１７のＳＴ１０のサブルーチンの説明図である。
【発明を実施するための形態】
【００１７】
次に図面を参照しながら、本発明の実施の形態の具体例（以下、実施例と記載する）を説明するが、本発明は以下の実施例に限定されるものではない。
なお、以下の図面を使用した説明において、理解の容易のために説明に必要な部材以外の図示は適宜省略されている。
【実施例１】
【００１８】
図１は実施例１の画像表示装置を含むシステムの全体説明図である。
図１において、本発明の実施例１のネットワークシステム１は、画像表示装置の一例としてのタブレット端末２と、公衆回線３を通じて有線または無線でタブレット端末２と情報の送受信が可能に接続された情報処理装置の一例としての複数のサーバー４やパーソナルコンピュータ５、画像形成装置の一例としての複写機６を有する。実施例１のタブレット端末２やサーバ４、パーソナルコンピュータ５は、いわゆるコンピュータ装置により構成されており、記憶媒体の一例としての図示しないハードディスクドライブ等を内部に有する。
【００１９】
実施例１の各タブレット端末２は、板状の端末本体２ａと、画像が表示される表示画面の一例であり且つ入力部の一例としてのタッチパネル２ｂと、を有するコンピュータ装置により構成されている。なお、実施例１では、画像表示装置としてタブレット端末２を例示したが、これに限定されず、携帯電話や携帯情報端末（ＰＤＡ：Personal Digital Assistants）、これらの機能を統合した携帯端末、いわゆるスマートフォン、あるいはノート型のパーソナルコンピュータにより構成することも可能である。
また、実施例１のパーソナルコンピュータ５は、コンピュータ本体Ｈ１と、表示器の一例としてのディスプレイＨ２と、キーボードＨ３やマウスＨ４等の入力装置、図示しないハードディスクドライブ等により構成されている。
【００２０】
実施例１の複写機６は、入力を行う入力部の一例としてのインタフェースＵ１や、読み取り装置の一例としてのスキャナＵ２ａが上面に支持され且つ媒体を供給する供給部Ｕ２、多色：カラーまたは単色：モノクロ、片面または両面で印刷を行う複写機本体Ｕ３、印刷された媒体に対して綴じ針で綴じるステープル処理や孔を形成するパンチ処理等の後処理を行う後処理装置Ｕ４，Ｕ５等を有する。
なお、カラーまたはモノクロ印刷、片面または両面印刷、あるいは、ステープル処理やパンチ処理等の後処理が実行可能な画像形成装置としては、例えば、特開２０１１−１５８０４１号公報や特開２０１１−４２４８３号公報等に記載されており従来公知であり、種々の構成を採用可能であるため、詳細な説明は省略する。
【００２１】
（実施例１の制御部の説明）
（タブレット端末２の制御部の説明）
図２は、実施例１のネットワークシステムにおけるタブレット端末の機能をブロック図（機能ブロック図）で示した説明図である。
図２において、実施例１のタブレット端末２では、端末本体２ａの制御部：コントローラ１１は、外部との信号の入出力および入出力信号レベルの調節等を行うＩ／Ｏ：入出力インターフェース、必要な処理を行うためのプログラムおよび情報：データ等が記憶されたＲＯＭ：リードオンリーメモリ、必要なデータ及びプログラムを一時的に記憶するためのＲＡＭ：ランダムアクセスメモリ、ＲＯＭ等に記憶されたプログラムに応じた処理を行うＣＰＵ：中央演算処理装置ならびにクロック発振器等を有しており、前記ＲＯＭ及びＲＡＭ等に記憶されたプログラムを実行することにより種々の機能を実現することができる。
前記構成のタブレット端末２は、内蔵されたハードディスクや不揮発性の半導体メモリ：フラッシュメモリ、ＲＯＭ等に記憶されたプログラムを実行することにより種々の機能を実現することができる。
【００２２】
（タブレット端末の制御部に接続された信号入力要素）
タブレット端末２の制御部１１は、利用者が指で触れることで入力が可能な前記タッチパネル２ｂや、図示しない入力部材の一例としての入力キー等の信号入力要素からの信号が入力される。したがって、タッチパネル２ｂ等への入力がされたことを検出して、検出信号を制御部１１に入力する。
【００２３】
（携帯端末の制御部に接続された制御要素）
タブレット端末２の制御部１１は、タッチパネル２ｂや、図示しないその他の制御要素に接続されており、それらの作動制御信号を出力している。
前記タッチパネル２ｂには、制御部１１からの信号に応じた画像が表示される。
【００２４】
（タブレット端末の制御部の機能）
タブレット端末２の制御部１１は、前記各信号出力要素からの出力信号に応じた処理を実行して、前記各制御要素に制御信号を出力する機能、制御手段、いわゆる制御プログラムを有しており、基本ソフトウェア：オペレーティングシステムＯＳやアプリケーションソフトウェアを有する。前記制御部１１の機能を次に説明する。
Ｃ１：送受信手段
送受信手段Ｃ１は、公衆回線３を通じて、無線でサーバ４等や複写機６等との間で情報の送受信を行う。
【００２５】
Ｃ２：文書作成手段
文書作成手段Ｃ２は、利用者の入力に応じて、文書情報の一例としての文書データの作成を行う。なお、文書作成手段Ｃ２は、従来公知の文書作成用のアプリケーションソフトウェアを採用可能であるため、詳細な説明を省略する。
Ｃ３：文書情報記憶手段
文書情報記憶手段Ｃ３は、文書作成手段Ｃ２により作成された文書データや、サーバ４やパーソナルコンピュータ５から送信されて送受信手段Ｃ１で受信した文書データ、あるいは、複写機６のスキャナＵ２ａで読み取られ、送信され、送受信手段Ｃ１で受信した文書データを記憶する。
【００２６】
Ｃ４：文書情報管理手段
文書情報管理手段Ｃ４は、文書情報記憶手段Ｃ３に記憶された文書データの管理を行う。実施例１の文書情報管理手段Ｃ４は、利用者の入力に応じて、文書作成手段Ｃ２で作成されたり送受信手段Ｃ１で受信した文書データの記憶や更新、削除等の管理を行う。
Ｃ５：プリンタドライバ
画像形成装置の制御プログラムの一例としてのプリンタドライバＣ５は、複写機６から印刷を行う場合に、印刷画像の情報や、カラーやモノクロ等の印刷条件を含む制御情報を作成して、送受信手段Ｃ１を介して複写機６に送信させる。
【００２７】
Ｃ６：画像表示プログラム
アプリケーションソフトウェアの一例としての画像表示プログラムＣ６は、入力判別手段Ｃ６１と、画像表示手段Ｃ６２と、処理実行手段Ｃ６３を有し、文書データをタッチパネル２ｂに表示する制御を行う。
Ｃ６１：入力判別手段
入力判別手段Ｃ６１は、入力位置判別手段Ｃ６１Ａと、シングルタップ判別手段Ｃ６１Ｂと、ダブルタップ判別手段Ｃ６１Ｃと、長押し判別手段Ｃ６１Ｄと、入力条件判別手段Ｃ６１Ｅと、を有し、タブレット端末２のタッチパネル２ｂに対する利用者の入力を判別する。なお、実施例１の入力判別手段Ｃ６１は、画像表示プログラムＣ６に設けたが、これに限定されず、オペレーティングシステムＯＳが有する入力の判別機能を利用することも可能である。
【００２８】
Ｃ６１Ａ：入力位置判別手段
入力位置判別手段Ｃ６１Ａは、タッチパネル２ｂに対する入力、すなわち、利用者が指で触れた場合に、指で触れた位置を判別する。なお、指を触れた状態で位置が変動した場合には、変動した位置を入力された位置と判別する。また、実施例１では、一例として、指で触れた領域の重心位置を触れた位置と判別するが、これに限定されず、角の位置等とすることも可能である。
【００２９】
Ｃ６１Ｂ：シングルタップ判別手段
第１の入力判別手段の一例としてのシングルタップ判別手段Ｃ６１Ｂは、タッチパネル２ｂに対する入力、すなわち、利用者が指で触れた場合に、触れた時間が、予め設定された入力時間ｔ１よりも短い時間の入力がされた否かを判別する。実施例１のシングルタップ判別手段Ｃ６１Ｂは、タッチパネル２ｂに対する入力が、第１の入力の一例として、タッチパネル２ｂを一度叩くような入力、いわゆるシングルタップであるか否かを判別する。すなわち、予め設定された入力時間ｔ１よりも短い時間、指がタッチパネル２ｂに接触したことが検出され、指がタッチパネル２ｂから離れたことが検出された後、予め設定された時間間隔ｔ２以上、タッチパネル２ｂに触れたことが検出されなかった場合に、シングルタップであると判別する。
【００３０】
Ｃ６１Ｃ：ダブルタップ判別手段
第２の入力判別手段の一例としてのダブルタップ判別手段Ｃ６１Ｃは、タッチパネル２ｂに対して、予め設定された入力時間ｔ１よりも短い入力が、前記時間間隔ｔ２よりも短い時間内に２回行われたか否かを判別する。実施例１のダブルタップ判別手段Ｃ６１Ｃは、タッチパネル２ｂに対する入力が、第２の入力の一例として、タッチパネル２ｂを２度叩くような入力、いわゆるダブルタップであるか否かを判別する。すなわち、予め設定された入力時間ｔ１よりも短い時間、指がタッチパネル２ｂに接触したことが検出され、指がタッチパネル２ｂから離れたことが検出された後、予め設定された時間間隔ｔ２以内に、一度目の位置と同一の位置に入力時間ｔ１以内の入力が検出された場合に、ダブルタップであると判別する。なお、２度目の入力位置は、一度目の入力位置に対して、予め設定された許容範囲だけずれた位置であっても、同一の位置とみなして判別を行うことが可能である。
【００３１】
Ｃ６１Ｄ：長押し判別手段
第３の入力判別手段の一例としての長押し判別手段Ｃ６１Ｄは、タッチパネル２ｂに対して、前記時間間隔ｔ２および２回分の入力時間ｔ１の合計の時間２×ｔ１＋ｔ２よりも長い時間の入力がされたか否かを判別する。実施例１の長押し判別手段Ｃ６１Ｄは、タッチパネル２ｂに対する入力が、第３の入力の一例として、タッチパネル２ｂを長時間押さえるような入力、いわゆる長押しであるか否かを判別する。
Ｃ６２：画像表示手段
画像表示手段Ｃ６２は、アイコン画像表示手段Ｃ６２Ａと、プレビュー画像表示手段Ｃ６２Ｂと、サムネイル画像表示手段Ｃ６２Ｃと、印刷条件表示手段Ｃ６２Ｄと、入力条件表示手段Ｃ６２Ｅと、被選択画像の表示手段Ｃ６２Ｆと、処理画像表示手段Ｃ６２Ｇと、を有し、文書データの画像をタッチパネル２ｂに表示する制御を行う。
【００３２】
図３は実施例１のタッチパネルにアイコン画像が表示された状態の説明図である。
Ｃ６２Ａ：アイコン画像表示手段
アイコン画像表示手段Ｃ６２Ａは、文書データに基づく文書画像を表示する。図３において、実施例１のアイコン画像表示手段Ｃ６２Ａは、文書情報記憶手段Ｃ３に記憶された文書データに基づく文書画像の一例としての文書アイコン２１，２２，２３，２４，２５，２６を作成して、タッチパネル２ｂに文書アイコン２１〜２６が配列された初期画像の一例としてのトップ画像２７を表示する。なお、実施例１の文書アイコン２１〜２６では、図３に示すように、文書データの最初の頁が縮小された画像が文書アイコン２１〜２６として表示される。また、図３に示すように、文書データの総ページ数が１頁の場合には、１枚のみのシートからなる文書アイコン２６が表示され、総ページ数が２頁の場合には、２枚のシートが重ねられた文書アイコン２２，２４，２５が表示され、総ページ数が３頁以上の場合には、３枚のシートが重ねられた文書アイコン２１，２３が表示される。
【００３３】
図４は実施例１のタッチパネルにプレビュー画像が表示された状態の説明図である。
Ｃ６２Ｂ：プレビュー画像表示手段
第１の文書閲覧画像の表示手段の一例としてのプレビュー画像表示手段Ｃ６２Ｂは、トップ画像２７の文書アイコン２１〜２６において、予め設定された文書閲覧用の第１の入力の一例としてのシングルタップがされた場合に、第１の文書閲覧用の画像の一例としてのプレビュー画像３１を表示する。なお、以降の説明において、一例として、７ページの文書からなる文書データの文書アイコン２１が選択された場合について説明を行う。
【００３４】
図４において、実施例１のプレビュー画像３１は、文書データの特定の頁である最初の頁の画像が、タッチパネル２ｂの大きさに基づいて拡大された大きさの画像に設定されている。すなわち、実施例１のプレビュー画像３１は、いわゆる全画面表示の画像となるように拡大された画像が表示される。また、実施例１のプレビュー画像３１は、文書データや表示の変更等の処理の指示を入力する指示画像の一例としての複数のコマンドアイコン３１ａ〜３１ｃを有する。すなわち、プレビュー画像３１は、プレビュー画像３１の表示からトップ画像２７に表示を戻す処理を行うための「戻る」アイコン３１ａと、文書データの印刷処理を行うための「プリント」アイコン３１ｂと、プレビュー画像３１で表示された頁に対する削除や回転等の操作を行う図示しない画像を表示するための「操作」アイコン３１ｃと、を有する。
【００３５】
図５は実施例１のタッチパネルにサムネイル画像が表示された状態の説明図である。
Ｃ６２Ｃ：サムネイル画像表示手段
第２の文書閲覧画像の表示手段の一例としてのサムネイル画像表示手段Ｃ６２Ｃは、トップ画像２７の文書アイコン２１〜２６において、予め設定された文書閲覧用の第２の入力の一例としてのダブルタップがされた場合に、第２の文書閲覧用画像の一例としてのサムネイル画像４１を表示する。図５において、実施例１のサムネイル画像４１では、文書データの各頁を縮小した画像４２，４３，４４，４５，４６，４７，４８が並べて配置されている。また、実施例１のサムネイル画像４１は、プレビュー画像３１と同様に、トップ画像２７に表示を戻すための「戻る」アイコン４１ａと、印刷処理を行うための「プリント」アイコン４１ｂと、サムネイル画像４１において選択された頁に対して削除や回転、頁の順序の入れ替え等を行うための「操作」アイコン４１ｃと、を有する。
【００３６】
図６は図４に示すプレビュー画像においてプリント条件画像が表示された状態の説明図であり、図６Ａはプリント条件画像の一部が表示された状態の説明図、図６Ｂはプリント条件画像の残りが表示された状態の説明図である。
図７は図５に示すサムネイル画像においてプリント条件画像が表示された状態の説明図であり、図７Ａはプリント条件画像の一部が表示された状態の説明図、図７Ｂはプリント条件画像の残りが表示された状態の説明図である。
Ｃ６２Ｄ：印刷条件表示手段
印刷条件表示手段Ｃ６２Ｄは、印刷条件を入力するための条件入力画像の一例としてのプリント条件画像５１を表示する。実施例１の印刷条件表示手段Ｃ６２Ｄは、プレビュー画像３１またはサムネイル画像４１の「プリント」アイコン３１ｂ，４１ｂの入力がされた場合に、図６、図７に示すように、各画像３１，４１の下部にプリント条件画像５１を追加して表示すると共に、「プリント」アイコン３１ｂ，４１ｂに替えてプリンタドライバＣ５を介して文書データや印刷条件のデータを複写機６に送信して印刷を実行させる印刷実行用の「印刷」アイコン３１ｂ′、４１ｂ′が表示される。また、実施例１のプリント条件画像５１では、「操作」アイコン３１ｃ、４１ｃに替えて、文書データに関するＡ４，Ａ３等の用紙サイズや用紙の縦向き／横向きの設定を行う図示しない画像を表示するための「設定」アイコン３１ｃ′、４１ｃ′が表示される。
【００３７】
図６、図７において、実施例１のプリント条件画像５１は、プリント条件を入力するための画像の一例としてのコマンドアイコンの中の一部が表示される図６Ａ、図７Ａに示す第１条件画像５２と、残りのコマンドアイコンが表示される図６Ｂ、図７Ｂに示す第２条件画像５３とを有する。
図６Ａ、図７Ａにおいて、実施例１の第１条件画像５２では、カラー印刷を指定する入力を行うコマンドアイコンの一例としての「カラー」アイコン５２ａと、モノクロ印刷を指定する入力を行うコマンドアイコンの一例としての「白黒」アイコン５２ｂと、長辺綴じの両面印刷を指定する入力を行うコマンドアイコンの一例としての「両面：長辺」アイコン５２ｃと、短辺綴じの両面印刷を指定する入力を行うコマンドアイコンの一例としての「両面：短辺」アイコン５２ｄと、第２条件画像５３を表示するためのコマンドアイコンの一例としてのスクロールアイコン５２ｅと、を有する。
【００３８】
図６Ｂ、図７Ｂにおいて、実施例１の第２条件画像５３では、第１条件画像５２を表示するためのコマンドアイコンの一例としてのスクロールアイコン５３ａと、１頁に文書データの２頁分を割り付ける指定を行うコマンドアイコンの一例としての「２ｕｐ」アイコン５３ｂと、１頁に文書データの４頁分を割り付ける指定を行うコマンドアイコンの一例としての「４ｕｐ」アイコン５３ｃと、角綴じを指定する入力を行うコマンドアイコンの一例としての「コーナーステープル」アイコン５３ｄと、画像３１，４１における左端綴じ（長辺綴じ）を指定する入力を行うコマンドアイコンの一例としての「長辺ステープル」アイコン５３ｅと、画像３１，４１における上端綴じ（短辺綴じ）を指定する入力を行うコマンドアイコンの一例としての「短辺ステープル」アイコン５３ｆと、左端辺（長辺）にパンチ孔を形成する指定の入力を行うコマンドアイコンの一例としての「長辺パンチ」アイコン５３ｇと、上端辺（短辺）にパンチ孔を形成する指定の入力を行うコマンドアイコンの一例としての「短辺パンチ」アイコン５３ｈと、を有する。
【００３９】
なお、実施例１では、後処理の入力を行うアイコン５３ｃ〜５３ｈは、後処理された状態を図式化したものがアイコンとして使用されている。
また、スクロールアイコン５２ｅ、５３ａを使用せず、プリント条件画像５１に対応するタッチパネル２ｂの位置を触れた状態で左右方向になぞる操作をすることで、条件画像５２、５３の切替を行う構成とすることも可能である。
【００４０】
Ｃ６２Ｅ：入力条件表示手段
入力条件表示手段Ｃ６２Ｅは、プリント条件画像５１で入力されたプリント条件に応じた画像を表示する。実施例１の入力条件表示手段Ｃ６２Ｅでは、「カラー」アイコン５２ａを選択する入力、すなわち、「カラー」アイコン５２ａの位置に対してシングルタップやダブルタップ等の入力がされた場合に、各画像３１，４１をカラーで表示にする。また、「白黒」アイコン５２ｂを選択する入力がされた場合に、各画像３１，４１をモノクロで表示する。
【００４１】
図８は図６に示すプリント条件画像が表示されたプレビュー画像において長辺綴じの両面印刷が入力された状態の説明図であり、図８Ａは長辺綴じの両面印刷が入力された状態の説明図、図８Ｂは図８Ａに示す状態から頁をめくる入力がされた場合の説明図である。
図６、図８Ａにおいて、プレビュー画像３１において、「両面：長辺」アイコン５２ｃを選択する入力がされた場合、実施例１の入力条件表示手段Ｃ６２Ｅは、プレビュー画像３１に裏面確認画像６１を追加して表示する。このとき、「両面：長辺」アイコン５２ｃが、反転表示され、「両面：長辺」のプリント条件が選択されていることが表示される。そして、図８Ｂに示すように、利用者がタッチパネル２ｂに指を触れた状態でページをめくるように右方から左方になぞる入力をした場合に、裏面に対応する偶数頁の画像を表示する。
【００４２】
図９は図７に示すプリント条件画像が表示されたサムネイル画像において長辺綴じの両面印刷が入力された状態の説明図であり、図９Ａは長辺綴じの両面印刷が入力された状態の説明図、図９Ｂは図９Ａに示す状態から頁をめくる入力がされた場合の説明図である。
図７、図９Ａにおいて、サムネイル画像４１において、「両面：長辺」アイコン５２ｃを選択する入力がされた場合、実施例１の入力条件表示手段Ｃ６２Ｅは、サムネイル画像４１において奇数頁の縮小画像に４２，４４，４６，４８に裏面確認画像６１を追加し、偶数頁の縮小画像４３，４５，４７の表示を削除する。そして、図９Ｂに示すように、利用者が縮小画像４２，４４，４６，４８のいずれかに触れた状態でページをめくるように右方から左方になぞる入力をした場合に、各縮小画像４２，４４，４６，４８の裏面に対応する偶数頁の画像４３，４５，４７を表示する。なお、縮小画像４８のように、最終頁が奇数頁である場合、裏面画像をとして白紙の画像が表示される。
【００４３】
なお、「両面：短辺」アイコン５２ｄを選択する入力がされた場合に、ページをめくる方向が下方から上方になぞる方向となり、めくられた偶数頁がめくられた状態で画像の上がタッチパネル２ｂの上と一致するように表示される以外は、「両面：長辺」の場合と同様であるため、図示および詳細な説明は省略する。
また、実施例１の入力条件表示手段Ｃ６２Ｅは、各アイコン５２ｃ，５２ｄが選択された状態で、もう一度選択されたアイコン５２ｃ，５２ｄの入力がされると、片面印刷の状態、すなわち、図６、図７に示す状態に表示を戻す。さらに、「両面：長辺」および「両面：短辺」の一方が選択された状態で、他方を選択する入力がされた場合、入力された他方のアイコン５２ｃ，５２ｄを反転表示し、一方の反転表示を元に戻す。
【００４４】
図１０は図６に示すプリント条件画像が表示されたプレビュー画像において多数ページの割付印刷が選択された状態の説明図であり、図１０Ａは２ｕｐ印刷が入力された状態の説明図、図１０Ｂは４ｕｐ印刷が入力がされた場合の説明図である。
図６、図１０において、プレビュー画像３１において、「２ｕｐ」アイコン５３ｂや「４ｕｐ」アイコン５３ｃを選択する入力がされた場合、実施例１の入力条件表示手段Ｃ６２Ｅは、プレビュー画像３１を、２ページまたは４ページを縮小して並べたプレビュー画像３１に更新して表示する。このとき、入力されたアイコン５３ｂ，５３ｃが、反転表示され、選択されていることが表示される。
【００４５】
図１１は図７に示すプリント条件画像が表示されたサムネイル画像において多数ページの割付印刷が選択された状態の説明図であり、図１１Ａは２ｕｐ印刷が入力された状態の説明図、図１１Ｂは４ｕｐ印刷が入力がされた場合の説明図である。
また、図７、図１１において、サムネイル画像４１において、「２ｕｐ」アイコン５３ｂや「４ｕｐ」アイコン５３ｃを選択する入力がされた場合、実施例１の入力条件表示手段Ｃ６２Ｅは、サムネイル画像４１を、２ページまたは４ページを縮小して並べたサムネイル画像４１に更新して表示する。したがって、割り付けられた頁数に応じて、表示される縮小画像４２〜４８の数が減った状態で表示が更新される。なお、図１１Ａ，図１１Ｂに示すように、最終ページに割り付ける頁数が不足している場合には、白紙のページに相当する白紙画像が自動的に割り付けられたサムネイル画像４１が表示される。
【００４６】
なお、実施例１の入力条件表示手段Ｃ６２Ｅは、各アイコン５３ｂ、５３ｃについても、前述の両面印刷用の各アイコン５２ｃ，５２ｄと同様に、アイコン５３ｂ、５３ｃが選択された状態で、もう一度選択されたアイコン５３ｂ，５３ｃの入力がされると、複数頁の割付が解除された状態、すなわち、図６、図７に示す状態に表示を戻す。さらに、「２ｕｐ」および「４ｕｐ」の一方が選択された状態で、他方を選択する入力がされた場合、入力された他方の割付に表示画像３１，４１を更新すると共に、アイコン５３ｂ，５３ｃの反転、非反転の表示を更新する。
【００４７】
図１２は図６に示すプリント条件画像が表示されたプレビュー画像においてステープルが選択された状態の説明図であり、図１２Ａは角綴じが選択された状態の説明図、図１２Ｂは長編綴じが選択がされた場合の説明図である。
図６、図１２において、プレビュー画像３１において、「コーナーステープル」アイコン５３ｄや「長辺ステープル」アイコン５３ｅ、「短辺ステープル」アイコン５３ｆを選択する入力がされた場合、実施例１の入力条件表示手段Ｃ６２Ｅは、プレビュー画像３１の角や長辺、短辺のステープル位置に対応する位置に、後処理画像の一例としての綴じ針画像６２を追加して表示する。なお、このとき、入力されたアイコン５３ｄ〜５３ｆのいずれかが、反転表示され、選択されていることが表示される。なお、短辺ステープルの選択時の綴じ針画像６２は、図１２Ｂの綴じ針画像６２の位置が、左端ではなく上端に配置される以外は同様であるため、図示は省略する。
【００４８】
図１３は図７に示すプリント条件画像が表示されたサムネイル画像においてステープルが選択された状態の説明図であり、図１３Ａは角綴じが選択された状態の説明図、図１３Ｂは長編綴じが選択がされた場合の説明図である。
また、図７、図１３において、サムネイル画像４１において、ステープル用のアイコン５３ｄ〜５３ｆのいずれかを選択する入力がされた場合、実施例１の入力条件表示手段Ｃ６２Ｅは、サムネイル画像４１の各縮小画像４２〜４８に入力に応じた綴じ針画像６２を追加して表示する。
なお、実施例１の入力条件表示手段Ｃ６２Ｅは、各アイコン５３ｄ〜５３ｆについても、前述の両面印刷用の各アイコン５２ｃ，５２ｄ等と同様に、アイコン５３ｄ〜５３ｆが選択された状態で、もう一度選択されたアイコン５３ｂ，５３ｃの入力がされると、綴じ針画像６２が削除された状態に表示を戻す。さらに、いずれかのステープル条件が選択された状態で、別のステープル条件を選択する入力がされた場合、入力されたステープル条件に対応する綴じ針画像６２に表示を更新すると共に、アイコン５３ｄ〜５３ｆの反転、非反転の表示を更新する。
【００４９】
図１４は図６に示すプリント条件画像が表示されたプレビュー画像においてパンチ孔の形成が選択された状態の説明図であり、図１４Ａは長辺パンチが選択された状態の説明図、図１４Ｂは短辺パンチが選択がされた場合の説明図である。
図６、図１４において、プレビュー画像３１において、「長辺パンチ」アイコン５３ｇや「短辺パンチ」アイコン５３ｈを選択する入力がされた場合、実施例１の入力条件表示手段Ｃ６２Ｅは、プレビュー画像３１の長辺または短辺のパンチ孔の形成位置に対応する位置に、後処理画像の一例としてのパンチ孔画像６２を追加して表示する。なお、このとき、入力されたアイコン５３ｇ、５３ｈのいずれかが、反転表示され、選択されていることが表示される。
【００５０】
図１５は図７に示すプリント条件画像が表示されたサムネイル画像においてパンチ孔の形成が選択された状態の説明図であり、図１５Ａは長辺パンチが選択された状態の説明図、図１５Ｂは短辺パンチが選択がされた場合の説明図である。
また、図７、図１５において、サムネイル画像４１において、パンチ用のアイコン５３ｇ、５３ｈのいずれかを選択する入力がされた場合、実施例１の入力条件表示手段Ｃ６２Ｅは、サムネイル画像４１の各縮小画像４２〜４８にパンチ孔画像６２を追加して表示する。
【００５１】
なお、実施例１の入力条件表示手段Ｃ６２Ｅは、各アイコン５３ｇ、５３ｈについても、前述の両面印刷用の各アイコン５２ｃ，５２ｄ等と同様に、アイコン５３ｇ、５３ｈが選択された状態で、もう一度選択されたアイコン５３ｇ，５３ｈの入力がされると、パンチ画像６３が削除された状態に表示を戻す。さらに、いずれかのパンチ条件が選択された状態で、別のパンチ条件を選択する入力がされた場合、入力されたパンチ条件に対応するパンチ画像６３に表示を更新すると共に、アイコン５３ｇ、５３ｈの反転、非反転の表示を更新する。
なお、実施例１の入力条件表示手段Ｃ６２Ｅは、複数の印刷条件が選択された場合には、選択された印刷条件が複合された画像３１，４１の表示を行う。例えば、２ｕｐ且つ角綴じの場合は、図１０Ａや図１１Ａの画像に、図１２Ａ、図１３Ａの綴じ針画像６２が付加された画像となる。
【００５２】
図１６は実施例１のトップ画像において長押しがされた場合の説明図であり、図１６Ａは長押しがされた状態の説明図、図１６Ｂは長押しされた状態で指を移動させた状態の説明図である。
Ｃ６２Ｆ：被選択画像の表示手段
被選択画像の表示手段Ｃ６２Ｆは、トップ画像２７において、文書アイコン２１〜２６に対応する位置で、第３の入力の一例としての長押し入力がされた場合に、図１６に示すように、対象の文書アイコン２１〜２６が選択されたことを特定するために、対象の文書アイコン２１〜２６を被選択画像の一例としての反転画像２６′に更新する。なお、被選択画像表示手段Ｃ６２Ｆは、長押しが解除された場合、すなわち、指がタッチパネル２ｂから離れた場合には、反転画像２６′を通常の文書アイコン２１〜２６の表示に戻す。
【００５３】
Ｃ６２Ｇ：処理画像表示手段
処理画像表示手段Ｃ６２Ｇは、トップ画像２７において、文書アイコン２１〜２６に対応する位置で長押し入力がされた場合に、図１６に示すように、文書データに対して実行可能な処理を特定する処理画像の一例としての処理アイコン６６をトップ画像２７に表示する。実施例１の処理アイコン６６は、文書データをサーバ４等に送信するための「送信」アイコン６６ａと、文書データを削除するための「削除」アイコン６６ｂと、文書データを予め設定された印刷条件で印刷する「プリント」アイコン６６ｃとを有する。なお、処理画像表示手段Ｃ６２Ｇは、長押しが解除された場合には、処理アイコン６６の表示を終了して、図３に示す状態に戻る。
【００５４】
Ｃ６３：処理実行手段
処理実行手段Ｃ６３は、トップ画像２７やプレビュー画像３１、サムネイル画像４１において、文書データに対する処理を行う入力がされた場合に、入力に応じた処理を行う。
図１６において、実施例１の処理実行手段Ｃ６３は、長押しがされて文書アイコン２１〜２６が選択された状態で、タッチパネル２ｂの表面をなぞるように利用者が指を移動させて、処理アイコン６６ａ〜６６ｃのいずれかに指を移動させる入力がされた場合に、処理アイコン６６ａ〜６６ｃに応じた処理を文書データに対して実行する。すなわち、「送信」アイコン６６ａに文書アイコン２１〜２６を移動させる入力がされた場合、対象の文書データをサーバ４等に送信するために、送信先、いわゆる電子メールアドレスを入力する図示しない電子メール送信用の画像が表示される。また、「削除」アイコン６６ｂが選択されると対象の文書データを文書管理手段Ｃ４を介して、削除する。さらに、「プリント」アイコン６６ｃが選択されると、対象の文書データを、予め設定された印刷条件、いわゆるデフォルトの印刷条件で印刷するように、プリンタドライバＣ５を介して複写機６にデータを送信する。なお、実施例１の処理手段Ｃ６３は、プレビュー画像３１やサムネイル画像４１において、「印刷」アイコン３１ｂ′，４１ｂ′の入力がされた場合には、プリンタドライバＣ５を介して、印刷条件画像５１で入力された印刷条件と、文書データとを複写機６に送信させて、印刷を実行させる。
【００５５】
（実施例１の流れ図の説明）
次に、実施例１のタブレット端末２おける制御の流れを流れ図、いわゆるフローチャートを使用して説明する。
（画像表示処理のフローチャートの説明）
図１７は実施例１の画像表示処理のフローチャートの説明図である。
図１７のフローチャートの各ステップＳＴの処理は、タブレット端末２の制御部１１に記憶されたプログラムに従って行われる。また、この処理はタブレット端末２の他の各種処理と並行して実行される。
図１７に示すフローチャートは画像表示プログラムＣ６の起動により開始される。
【００５６】
図１７のＳＴ１において、文書データを読み込んで文書アイコン２１〜２６の画像を作成する。そして、ＳＴ２に進む。
ＳＴ２において、文書アイコン２１〜２６が配列されたトップ画像２７をタッチパネル２ｂに表示する。そして、ＳＴ３に進む。
ＳＴ３において、タッチパネル２ｂに入力がされたか否かを判別する。イエス（Ｙ）の場合はＳＴ４に進み、ノー（Ｎ）の場合はＳＴ３を繰り返す。
ＳＴ４において、入力がされた位置に基づいて、入力は文書アイコン２１〜２６に対する入力であるか否かを判別する。ノー（Ｎ）の場合はＳＴ５に進み、イエス（Ｙ）の場合はＳＴ６に進む。
ＳＴ５において、入力に応じた処理を実行して、図１７に示すフローチャートを終了する。例えば、文書アイコン２１〜２６が無い位置において、指でタッチパネル２ｂをなぞる入力がされた場合、なぞった方向に沿って、画像を移動させる、いわゆるスクロールさせる入力がされた場合、スクロール後の画像を表示して、ＳＴ４に戻ったり、画像表示プログラムＣ６を終了させる入力がされた場合には、画像表示プログラムＣ６を終了させる処理を行って、図１７に示すフローチャートを終了させる。
【００５７】
ＳＴ６において、行われた入力はシングルタップであるか否かを判別する。イエス（Ｙ）の場合はＳＴ７に進み、ノー（Ｎ）の場合はＳＴ８に進む。
ＳＴ７において、後述する図１８に示すプレビュー表示処理を実行して、ＳＴ１に戻る。
ＳＴ８において、行われた入力はダブルタップであるか否かを判別する。イエス（Ｙ）の場合はＳＴ９に進み、ノー（Ｎ）の場合はＳＴ１０に進む。
ＳＴ９において、後述する図１９に示すサムネイル表示処理を実行して、ＳＴ１に戻る。
ＳＴ１０において、後述する図２０に示す長押し処理を実行して、ＳＴ１に戻る。
【００５８】
（プレビュー表示処理のフローチャートの説明）
図１８は実施例１のプレビュー表示処理のフローチャートの説明図であり、図１７のＳＴ７のサブルーチンの説明図である。
図１８のＳＴ２１において、シングルタップがされた対象の文書データのプレビュー画像３１を作成して表示する。そして、ＳＴ２２に進む。
ＳＴ２２において、「プリント」アイコン３１ｂの入力がされたか否かを判別する。ノー（Ｎ）の場合はＳＴ２３に進み、イエス（Ｙ）の場合はＳＴ２８に進む。
ＳＴ２３において、「操作」アイコン３１ｃの入力がされたか否かを判別する。イエス（Ｙ）の場合はＳＴ２４に進み、ノー（Ｎ）の場合はＳＴ２５に進む。
ＳＴ２４において、プレビュー画像３１で表示された頁に対する削除や回転等の操作を行う図示しない操作画像における入力に応じて文書データの対象ページの削除や回転等を実行する操作処理を実行し、ＳＴ２１に戻る。
【００５９】
ＳＴ２５において、「戻る」アイコン３１ａの入力がされたか否かを判別する。ノー（Ｎ）の場合はＳＴ２６に進み、イエス（Ｙ）の場合は図１８のプレビュー表示処理を終了して、図１７の画像表示処理に戻る。
ＳＴ２６において、そのほかの入力がされた否かを判別する。イエス（Ｙ）の場合はＳＴ２７に進み、ノー（Ｎ）の場合はＳＴ２２に戻る。
ＳＴ２７において、入力に応じてプレビュー画像３１を更新する。例えば、プレビュー画像３１において、指を触れた状態で左右方向に移動させる入力、いわゆる、ページをめくる入力がされた場合には、次のページを表示する。そして、ＳＴ２２に戻る。
ＳＴ２８において、印刷条件画像５１を表示し、ＳＴ２９に進む。
【００６０】
ＳＴ２９において、印刷条件アイコン５２ａ〜５２ｄ，５３ｂ〜５３ｈに対する入力がされたか否かを判別する。イエス（Ｙ）の場合はＳＴ３０に進み、ノー（Ｎ）の場合はＳＴ３１に進む。
ＳＴ３０において、両面や割付、ステープルやパンチ等の入力された印刷条件に応じてプレビュー画像３１を更新する。そして、ＳＴ２９に戻る。
ＳＴ３１において、「設定」アイコン３１ｃの入力がされたか否かを判別する。イエス（Ｙ）の場合はＳＴ３２に進み、ノー（Ｎ）の場合はＳＴ３３に進む。
ＳＴ３２において、文書データの用紙サイズ等の設定を行う図示しない設定画像を表示して設定画像における入力に応じて用紙サイズ等の設定を更新する設定処理を実行し、ＳＴ２９に戻る。
ＳＴ３３において、「印刷」アイコン３１ｂ′の入力がされたか否かを判別する。イエス（Ｙ）の場合はＳＴ３４に進み、ノー（Ｎ）の場合はＳＴ３５に進む。
ＳＴ３４において、文書データと印刷条件に応じた印刷用のデータを作成して複写機６に送信する。そして、図１８に示すプレビュー処理を終了する。
【００６１】
ＳＴ３５において、「戻る」アイコン３１ａの入力がされたか否かを判別する。イエス（Ｙ）の場合はＳＴ２１に戻り、ノー（Ｎ）の場合はＳＴ３６に進む。
ＳＴ３６において、そのほかの入力がされたか否かを判別する。イエス（Ｙ）の場合はＳＴ３７に進み、ノー（Ｎ）の場合はＳＴ２９に戻る。
ＳＴ３７において、入力に応じてプレビュー画像３１を更新する。例えば、プレビュー画像３１において、指を触れた状態で左右方向に移動させる入力、いわゆる、ページをめくる入力がされた場合には、次のページを表示する。また、スクロールアイコン５２ｅ，５３ａの入力や、印刷条件画像５１をスクロールさせる入力がされた場合には、入力に応じて画像を更新する。そして、ＳＴ２９に戻る。
【００６２】
（サムネイル表示処理のフローチャートの説明）
図１９は実施例１のサムネイル表示処理のフローチャートの説明図であり、図１７のＳＴ９のサブルーチンの説明図である。
なお、図１９のサムネイル表示処理は、図１８のプレビュー表示処理のＳＴ２１，ＳＴ３０に対応するＳＴ２１′、ＳＴ３０′において、作成、更新される画像が、サムネイル画像４１となる点が異なり、そのほかは同様であるため、詳細な説明は省略する。
【００６３】
（長押し処理のフローチャートの説明）
図２０は実施例１の長押し処理のフローチャートの説明図であり、図１７のＳＴ１０のサブルーチンの説明図である。
図２０のＳＴ４１において、次の処理（１）、（２）を実行して、ＳＴ４２に進む。
（１）長押しされた対象の文書アイコン２１〜２６を反転画像に更新する。
（２）処理アイコン６６ａ〜６６ｃを表示する。
ＳＴ４２において、入力位置が移動したか否か、すなわち、指がタッチパネル２ｂに接触した状態で接触位置が移動したか否かを判別する。ノー（Ｎ）の場合はＳＴ４３に進み、イエス（Ｙ）の場合はＳＴ４４に進む。
ＳＴ４３において、長押しの入力解除、すなわち、指がタッチパネル２ｂから離れたか否かを判別する。ノー（Ｎ）の場合はＳＴ４２に戻り、イエス（Ｙ）の場合は図２０のサブルーチンを終了して、図１７の画像表示処理に戻る。
【００６４】
ＳＴ４４において、移動した入力位置は、処理アイコン６６ａ〜６６ｃの上か否かを判別する。ノー（Ｎ）の場合はＳＴ４５に進み、イエス（Ｙ）の場合はＳＴ４６に進む。
ＳＴ４５において、入力位置に応じて反転画像のトップ画像２７における位置を更新する。そして、ＳＴ４２に戻る。
ＳＴ４６において、長押しされている対象の文書データに対して、処理アイコン６６ａ〜６６ｃに対応する処理を実行する。そして、図２０のサブルーチンを終了して、図１７の画像表示処理に戻る。
【００６５】
（実施例１の作用）
前記構成を備えた実施例１のタブレット端末２では、トップ画像２７において、シングルタップがされた場合にはプレビュー画像３１が表示され、ダブルタップがされた場合にはサムネイル画像４１が表示される。また、トップ画像２７において長押しがされた場合には文書データの選択が可能となっている。
【００６６】
従来のパーソナルコンピュータ等における画像表示ソフトウェアでは、マウス等の入力部材の操作で、シングルクリックでは選択状態となり、ダブルクリックではプレビュー画像が表示され、サムネイル表示を行うには、右クリック後に表示される選択画像において更なる入力を必要としたり、プレビュー画像とは別の画像領域に表示する必要があったり、プレビュー表示かサムネイル表示のいずれか一方しか選択できない構成であった。すなわち、ダブルクリック時と異なる形式の閲覧画像を表示しようとした場合には、複数回の入力が必要だったり、解像度の大きな表示画面が必要になるという問題があった。
これに対して、実施例のタブレット端末２では、シングルタップとダブルタップの入力操作だけで、プレビュー画像３１とサムネイル画像４１の表示を切り替えて表示することが可能である。よって、閲覧画像を表示する場合に複数回の入力が必要なく、操作性が向上するとともに、高解像度や大きな画面が必要なく、小型の端末でも実現が可能になっている。
【００６７】
特に、特許文献１記載の従来の構成では、画像の開き方に注目した構成であり、一般的な複数ページの文書には対応できなかったり、特許文献２記載の従来の構成では、文書を開く際に、操作する対象を、文書かページかで指定できるが、その分、操作ステップ数、操作回数が増えてしまい、操作が煩雑になる問題があった。
これらに対して、実施例１のタブレット端末２では、文書を開く場合に、文書の表示を直接的に切り替えることが可能であると共に、従来の構成に比べて、操作回数が増加することが低減されている。
【００６８】
また、実施例１では、印刷条件に応じて、プレビュー画像３１やサムネイル画像４１が更新され、実際に印刷する前に、印刷後の状態を確認することができる。すなわち、両面印刷時の表裏の状態や、割付順、ステープル位置、パンチ位置を印刷前に確認することができ、印刷ミスや、画像の一部が綴じ針やパンチ孔で欠けるといったことを事前に確認することができる。
さらに、実施例１では、文書データの閲覧ではなく、削除や送信といった文書データを直接取り扱う処理は、長押し入力が設定されており、ダブルタップ以上の長い時間の連続した入力が設定されている。したがって、タブレット端末２をカバンや服のポケット等に入れた状態で歩行中に、誤ってタッチパネル２ｂに物が一時的に接触しても、誤って削除等がされることが低減されている。すなわち、シングルタップに設定されている場合には、一時的に接触した場合に誤って削除される恐れがあるが、この場合に比べて、長押しが設定されている場合には、誤って削除される恐れが低減されている。
【００６９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、シングルタップにプレビュー表示が割り当てられ、ダブルタップにサムネイル表示、長押しに選択が割り当てられているが、これに限定されず、任意に変更可能である。例えば、シングルタップにサムネイル表示を割り当て、ダブルタップにプレビュー表示を割り当てることも可能である。また、シングルタップ、ダブルタップ、長押し以外の入力、例えば、左から右になぞる入力や上から下になぞる入力、あるいは２本の指どうしを広げる入力や、指どうしを近づける入力等の入力に、割り当てることも可能である。
【００７０】
（Ｈ02）前記実施例において、トップ画像２７には、文書アイコン２１〜２６を表示する構成を例示したが、これに限定されず、例えば、文書データの文書名を一覧表示したリスト画像等、任意の画像とすることも可能であり、リスト画像においてシングルタップやダブルタップが行われた場合に、プレビュー表示やサムネイル表示を行うことも可能である。
（Ｈ03）前記実施例において、第１の入力としてシングルタップや第２の入力としてダブルタップを設定した場合を例示したが、これに限定されず、例えば、文書アイコン２１〜２６の上部をシングルタップした場合にプレビュー表示をして、下部をシングルタップした場合にサムネイル表示をするといったように、第１の入力としての上部タップ、第２の入力としての下部タップに対応して、閲覧画像を切り替える構成とすることも可能である。あるいは、文書アイコン２１〜２６に触れている時間、すなわち、短時間のシングルタップか長時間のシングルタップに応じて、閲覧画像を切り替える構成とすることも可能である。
【００７１】
（Ｈ04）前記実施例において、印刷設定画像５１は、実施例に例示した構成に限定されず、追加したり、一部を省略する等任意の構成とすることが可能である。また、複写機６で可能な処理に応じたアイコン５２ａ〜５２ｄ，５３ｂ〜５３ｈのみを表示したり、複写機６で不能なアイコン５２ａ〜５２ｄ，５３ｂ〜５３ｈは選択不能な表示とする等の変更も可能である。なお、印刷設定画像５１は設けることが望ましいが、省略することも可能である。
（Ｈ05）前記実施例において、各アイコンの画像のデザインは、実施例に例示した構成に限定されず、任意に変更可能である。すなわち、文字で表示したり、図形で表示したり、これらを組み合わせたりすることも可能である。
【００７２】
（Ｈ06）前記実施例において、送信や削除、プリントを実行可能にすることが望ましいが、これらの一部または全てをなくしたり、編集等の追加の処理を実行可能とすることも可能である。
（Ｈ07）前記実施例において、入力方法として、タッチパネル２ｂに指で触れる方法を例示したがこれに限定されず、棒状の入力部材、いわゆるスタイラスペンを使用する構成としたり、あるいは、マウスやキーボード等で入力を行う構成とすることも可能である。
【符号の説明】
【００７３】
２…コンピュータ，画像表示装置、
２ｂ…表示画面、
２１〜２６…文書画像、
２６′…被選択画像、
３１…第１の文書閲覧画像、
４１…第２の文書閲覧画像、
６６…処理画像、
Ｃ６…プログラム、
Ｃ６１…入力判別手段、
Ｃ６２…画像表示手段、
Ｃ６２Ｇ…処理画像表示手段、
Ｃ６３…処理実行手段。
【図１】
0005741187.tif 000002
【図２】
0005741187.tif 000003
【図３】
0005741187.tif 000004
【図４】
0005741187.tif 000005
【図５】
0005741187.tif 000006
【図６】
0005741187.tif 000007
【図７】
0005741187.tif 000008
【図８】
0005741187.tif 000009
【図９】
0005741187.tif 000010
【図１０】
0005741187.tif 000011
【図１１】
0005741187.tif 000012
【図１２】
0005741187.tif 000013
【図１３】
0005741187.tif 000014
【図１４】
0005741187.tif 000015
【図１５】
0005741187.tif 000016
【図１６】
0005741187.tif 000017
【図１７】
0005741187.tif 000018
【図１８】
0005741187.tif 000019
【図１９】
0005741187.tif 000020
【図２０】
0005741187.tif 000021